(57)【要約】【課題】耐久性の向上や外観の美麗性を損なうことなく、簡単な構成で、静電気対策も施し、しかも、組立て性の優れたデジタルカメラを提供することを目的とする。【解決手段】本体ケースと、本体ケースに装着されたレリーズボタン５と、レリーズボタン５が押圧操作されることにより、オンされる電気接点を有する回路基板８とを備えたデジタルカメラにおいて、レリーズボタン５を、合成樹脂の表面に金属被覆が施され、少なくともその操作部５１１が本体ケースの外側に露出する外ボタン５１と、本体ケース内側に操作軸５２１を有する合成樹脂製の内ボタン５２とからなり、外ボタン５１の中心部分の内側に突起５１２を形成するとともに、内ボタン５２の上面側に突起５１２が勘合される窪み５２２と、窪み５２２の外周を囲繞し、かつ、外ボタン５１の内面と接するリング状の基準壁５２３とを形成し、外ボタン５１により内ボタン５２を覆うように重ね合わせて接着する。【選択図】図３
2006047596.tif 000002
【特許請求の範囲】
【請求項１】
本体ケースと、前記本体ケースに装着されたレリーズボタンと、前記レリーズボタンが押圧操作されることにより、オンされる電気接点を有する回路基板とを備えたデジタルカメラにおいて、
前記レリーズボタンを、合成樹脂の表面に金属被覆が施され、少なくともその操作部が前記本体ケースの外側に露出する外ボタンと、前記本体ケース内側に操作軸を有する合成樹脂製の内ボタンとからなり、前記外ボタンの中心部分の内側に突起を形成するとともに、前記内ボタンの上面側に前記突起が勘合される窪みと、前記窪みの外周を囲繞し、かつ、前記外ボタンの内面と接するリング状の基準壁とを形成し、前記外ボタンにより前記内ボタンを覆うように重ね合わせて接着したことを特徴とするデジタルカメラ。
【請求項２】
本体ケースと、前記本体ケースに装着されたレリーズボタンと、前記レリーズボタンが押圧操作されることにより、オンされる電気接点を有する回路基板とを備えたデジタルカメラにおいて、
前記レリーズボタンを、金属またはその表面に金属被覆が施され、少なくともその操作部が前記本体ケースの外側に露出する外ボタンと、前記本体ケース内側に操作軸を有する合成樹脂製の内ボタンとからなり、前記外ボタンの中心部分の内側に突起を形成するとともに、前記内ボタンの上面側に前記突起が勘合される窪みと、前記窪みの外周に配設され、前記外ボタンの内面と接する基準壁とを形成し、前記外ボタンにより前記内ボタンを覆うように重ね合わせて接着したことを特徴とするデジタルカメラ。
【請求項３】
前記レリーズボタンを、前記本体ケースに装着された回転操作ダイアルの中心部を貫装するように配設するとともに、前記回転操作ダイアルの胴部に形成した嵌合部に、前記内ボタンの底部外周に設けた抜け止め片を、嵌合したことを特徴とする請求項１または請求項２に記載のデジタルカメラ。
【請求項４】
前記本体ケースが、前ケースと、後ケースとからなり、前記前ケースと前記後ケースの接合部に、前記レリーズボタンを装着したことを特徴とする請求項１乃至請求項３のいずれかに記載のデジタルカメラ。
【請求項５】
前記外ボタンと、前記内ボタンとの接着に際し、前記窪みに液状の接着剤を流し込んで接着したことを特徴とする請求項１または請求項２に記載のデジタルカメラ。
【発明の詳細な説明】
【技術分野】
【０００１】
本発明は、例えば、金属被覆が施されたレリーズボタンを備えたデジタルカメラに関し、特にその組立て性の向上を図ったものである。
【背景技術】
【０００２】
周知の通り、被写体を撮像素子（Ｃｈａｒｇｅ  Ｃｏｕｐｌｅｄ  Ｄｅｖｉｃｅ）によって撮像した画像をメモリーカードなどの記憶媒体に記録するようにしたデジタルカメラが市販されている。このようなデジタルカメラは、耐久性の向上や外観の美麗化を図るために、合成樹脂製のレリーズボタンの表面に、例えば、金属蒸着や金属メッキにより金属被覆を施すようにしたものがある。一方、デジタルカメラには、その制御や撮像処理、更には撮像記憶のために、マイクロコンピュータなどの電子部品が組み込まれた回路基板が内蔵されている。
【０００３】
ところが、上述したような、デジタルカメラにあっては、撮影時などにレリーズボタンを操作する際に、指先や衣服に蓄積した静電気が内部回路に流入し、マイクロコンピュータなどの電子部品が破壊する危惧がある。
【０００４】
この対策として、例えば、全面が金属被覆されたシャッタボタンの裏面に金属製のバネを設け、この金属製のバネを介して、シャッタボタンと金属製の外カバとの導通を行うとともに、外カバをネジや金属金具を介して回路基板のアースパターンに電気的に接続するようにしたものがある(例えば、特許文献1参照）。
【特許文献１】特開２０００−３５２７４９号公報
【発明の開示】
【発明が解決しようとする課題】
【０００５】
しかし、前述の特許文献１記載の構成では、シャッタボタンからの静電気を回路基板のアースパターンに流すための電気的回路を、シャッタボタンから回路基板のアースパターンの間に形成する必要があり、部品点数が増加する他、電気的な接続作業が必要となり、組立て効率が悪い、などといった問題があった。
【０００６】
本発明は、上述した問題を解決するためになされたものであり、耐久性の向上や外観の美麗性を損なうことなく、簡単な構成で、静電気対策も施し、しかも、組立て性の優れたデジタルカメラを提供することを目的とする。
【課題を解決するための手段】
【０００７】
かかる目的を達成するため、請求項１記載の発明では、本体ケースと、本体ケースに装着されたレリーズボタンと、レリーズボタンが押圧操作されることにより、オンされる電気接点を有する回路基板とを備えたデジタルカメラにおいて、レリーズボタンを、合成樹脂の表面に金属被覆が施され、少なくともその操作部が本体ケースの外側に露出する外ボタンと、本体ケース内側に操作軸を有する合成樹脂製の内ボタンとからなり、外ボタンの中心部分の内側に突起を形成するとともに、内ボタンの上面側に突起が勘合される窪みと、窪みの外周を囲繞し、かつ、外ボタンの内面と接するリング状の基準壁とを形成し、外ボタンにより内ボタンを覆うように重ね合わせて接着する。
【０００８】
請求項２記載の発明では、本体ケースと、本体ケースに装着されたレリーズボタンと、レリーズボタンが押圧操作されることにより、オンされる電気接点を有する回路基板とを備えたデジタルカメラにおいて、レリーズボタンを、金属またはその表面に金属被覆が施され、少なくともその操作部が本体ケースの外側に露出する外ボタンと、本体ケース内側に操作軸を有する合成樹脂製の内ボタンとからなり、外ボタンの中心部分の内側に突起を形成するとともに、内ボタンの上面側に突起が勘合される窪みと、窪みの外周に配設され、外ボタンの内面と接する基準壁とを形成し、外ボタンにより内ボタンを覆うように重ね合わせて接着する。
【０００９】
請求項３記載の発明では、レリーズボタンを、本体ケースに装着された回転操作ダイアルの中心部を貫装するように配設するとともに、回転操作ダイアルの胴部に形成した嵌合部に、内ボタンの底部外周に設けた抜け止め片を、嵌合する。
【００１０】
請求項４記載の発明では、本体ケースが、前ケースと、後ケースとからなり、前ケースと後ケースの接合部に、前記レリーズボタンを装着する。
【００１１】
請求項５記載の発明では、外ボタンと、内ボタンとの接着に際し、窪みに液状の接着剤を流し込んで接着する。
【発明の効果】
【００１２】
請求項１記載の発明の構成によれば、レリーズボタンの本体ケースの外側にその一部が位置する外ボタンは、金属被覆が施され、また、回路基板と接する操作軸を有する内ボタンは、電気的に絶縁物である合成樹脂で形成されているので、レリーズボタンの耐久性や外観の美麗性を損なうことなく、静電対策を施すことができる。また、静電対策のための電気的接続は、不要であり、そのための部品は必要でなく、部品点数の削減が図れる。しかも、外ボタンと、内ボタンとの接着に際しても、内ボタンの窪みに接着剤を充填し、外ボタンを上から、外ボタンの突起が内ボタンの窪みに嵌合するように重ね合わせれば、内ボタンの上面側のリング状の基準壁が基準となり、外ボタンと内ボタンとは、水平を保った状態で、正しく接着できるので、その作業は極めて簡単である他、仮に、接着剤が窪みから流出しても基準壁によって、他の部分への流出は、完全に阻止できる、などといった効果を奏する。
【００１３】
請求項２記載の発明の構成によれば、レリーズボタンの本体ケースの外側にその一部が位置する外ボタンは、金属またはその表面に金属被覆が施され、また、回路基板と接する操作軸を有する内ボタンは、電気的に絶縁物である合成樹脂で形成されているので、レリーズボタンの耐久性や外観の美麗性を損なうことなく、静電対策を施すことができる。また、静電対策のための電気的接続は、不要であり、そのための部品は必要でなく、部品点数の削減が図れる。しかも、外ボタンと、内ボタンとの接着に際しても、内ボタンの窪みに接着剤を充填し、外ボタンを上から、外ボタンの突起が内ボタンの窪みに嵌合するように重ね合わせれば、内ボタンの上面側のリング状の基準壁が基準となり、外ボタンと内ボタンとは、水平を保った状態で、正しく接着できるので、その作業は極めて簡単である、などといった効果を奏する。
【００１４】
請求項３記載の発明の構成によれば、レリーズボタンは、本体ケースに装着された回転操作ダイアルの中心部を貫装するように配設され、内ボタンの底部外周に設けた抜け止め片を、回転操作ダイアルの胴部に形成した嵌合部に嵌合しているので、極めて簡単にレリーズボタンの抜け止めを図ることができる、といった効果を奏する。
【００１５】
請求項４記載の発明の構成によれば、レリーズボタンは、前ケースと後ケースの接合部に装着しているので、前ケースと後ケースを結合する前に、レリーズボタンを組み込めばよく、組み込み作業がやり易い。
【００１６】
請求項５記載の発明の構成によれば、外ボタンと、内ボタンとの接着に際し、窪みに液状の接着剤を流し込めがよいので、接着作業が簡単となり、都合がよい。
【発明を実施するための最良の形態】
【００１７】
前ケースと後ケースを接合した本体ケースと、本体ケースの接合部に装着された回転操作ダイアルと、この回転操作ダイアルの中心部を貫装するように配設されたレリーズボタンと、レリーズボタンが押圧操作されることにより、オンされる電気接点を有する回路基板とを備え、レリーズボタンを、合成樹脂の表面に金属被覆が施され、少なくともその操作部が前記本体ケースの外側に露出する外ボタンと、本体ケース内側に操作軸を有する合成樹脂製の内ボタンとからなり、外ボタンの中心部分の内側に突起を、内ボタンの上面側に突起が勘合される窪みと、窪みの外周を囲繞し、外ボタンの内面と接するリング状の基準壁とを形成し、外ボタンにより内ボタンを覆うように重ね合わせて接着する。
【００１８】
以下、本発明の一実施形態を図１乃至図７に基づいて説明する。図１は、本発明の一実施形態に係るデジタルカメラの概略構成を示す斜視図、図２は、図１に示すデジタルカメラの前ケースを内側から示す概略斜視図、図３は、図１に示すデジタルカメラの要部の一部を断面して示す断面図、図４は、図１に示すデジタルカメラの要部の一部を断面して示す斜視図、図５は、図１に示すデジタルカメラの内ボタンの一例を示す正面図、図６は、図５に示す内ボタンの上面図、図７は、図１に示すデジタルカメラの回転操作ダイアルの一例を示す底面図である。
【００１９】
図１に示すように、このデジタルカメラ１は、本体ケース２と、この本体ケース２の背面２ａに配置された、例えば、液晶表示部３と、ファインダ窓４と、本体ケース２の上面２ｂ配置された、操作ボタンとしてのレリーズボタン５と、例えば、モード設定を行う際に回転操作される回転操作ダイアル６と、この回転操作ダイアル６の上面に表示された標識６１を指示する指標部７と、本体ケース２の正面に配置された、図示しない撮影用レンズと、ストロボなどを備えている。
【００２０】
標識６１としては、設定可能なモードを示すスイッチオフ「Ｌ」やプログラムモード「Ｐ」、マニュアルモード「Ｍ」などが表示されている。従って、回転操作ダイアル６の回転操作部６２を回転操作し、指標部７に、所望の標識６１を合わせることにより、図３に示す回路基板８の電気的接続がなされ、デジタルカメラ１本体の図示しない、例えば、マイクロコンピュータなどからなる制御部に伝達され、モード設定が行われる。また、回転操作ダイアル６は、撮影者が回転操作し易い様に、適度の厚みを有し、かつ、その外周である回転操作部６２には、例えば、ローレット加工が施されている。
【００２１】
本体ケース２は、例えば、合成樹脂からなる前ケース２１と、同じく、例えば、合成樹脂からなる後ケース２２とを接合部２３で、接合して形成されている。この接合部２３には、転操作ダイアル６を装着するための切り欠きが前ケース２１および後ケース２２に形成されてあり、該切り欠きに、転操作ダイアル６が装着されている。
【００２２】
而して、本発明に従い、上述のレリーズボタン５は、回転操作ダイアル６の中心部の貫通孔６３を貫装するように配設されている。このレリーズボタン５は、例えば、合成樹脂の表面に金属被覆が施され、少なくとも撮影者が操作する操作部５１１が本体ケース２の外側に露出する外ボタン５１と、本体ケース２の内側に配設された操作軸５２１を有する合成樹脂製の内ボタン５２とから形成されている。外ボタン５１の中心部分の内側には、突起５１２が形成されている。また、内ボタン５２の上面５２ｂ側には、外ボタン５１の突起５１２が勘合される窪み５２２と、窪み５２２の外周を囲繞し、外ボタン５１の内面５１ｃと接する、例えば、リング状の基準壁５２３とを形成する。この、基準壁５２３は、内ボタン５２を、合成樹脂で金型などにより成形する際に、一体的に成形すれば良い。
【００２３】
そして、図３および図４に示すように、内ボタン５２の窪み５２２に、例えば、液状の接着剤を流し込み、この接着剤が流し込まれた窪み５２２に、外ボタン５１の突起５１２を嵌合し、外ボタン５１により内ボタン５２を覆うように重ね合わせて接着する。このとき、外ボタン５１の内面５１ｃは、基準壁５２３の上面に接し、水平が保たれるとともに、窪み５２２に突起５１２が勘合することにより、位置決めが行われる。
【００２４】
この構成により、撮影者がレリーズボタン５の操作部５１１を押圧操作することにより、操作軸５２１が押し下げられ、回路基板８に設けられた、電気接点、例えば、マイクロスイッチがオンされ、レリーズ信号が回路基板８内のマイクロコンピュータに送られ、撮像素子による撮影が行われる。
【００２５】
回転操作ダイアル６は、図７に示すように、本体ケース２の接合部２３の切り欠き部分を貫通する胴部６４に、内ボタン５２の底部外周に設けた抜け止め片５２４が勘合する嵌合部６５を設ける。この回転操作ダイアル６の嵌合部６５に、レリーズボタン６を組み込む際、内ボタン５２の抜け止め片５２４を勘合する。これにより、極めて簡単にレリーズボタン６の抜け止めを行うことができる。また、回転操作ダイアル６には、回路基板８を保持する爪６６が設けられており、この爪６６に回路基板８を係着する。また、胴部６４は、図７に示すように、嵌合部６５および爪６６を形成するために、一部が外側に突出するようにリブ状に形成すると、回転操作ダイアル６そのもの強度が増すので、都合がよい。なお、６７は、胴部６４に形成された、回転規制リブで、例えば、前ケース２１の内面に形成された、図示しない回転規制用の壁に当ることにより、回転操作ダイアル６の回転領域が規制される。
【００２６】
以上の構成による本実施形態では、レリーズボタン５の本体ケース２の外側にその一部が位置する外ボタン５１は、金属被覆が施され、また、回路基板８と接する操作軸５２１を有する内ボタン５２は、電気的に絶縁物である合成樹脂で形成されているので、レリーズボタン５の耐久性や外観の美麗性を損なうことなく、静電対策を施すことができる。また、静電対策のための電気的接続は、不要であり、そのための部品は必要でないので、部品点数の削減が図れる。しかも、外ボタン５１と、内ボタン５２との接着に際しても、内ボタン５２の窪みに接着剤を充填し、外ボタン５１を上から、外ボタン５１の突起５１２が内ボタン５２の窪み５２２に嵌合するように重ね合わせれば、内ボタン５２の上面５２ｂ側のリング状の基準壁５２３が基準となり、外ボタン５１と内ボタン５４とは、水平を保った状態で、正しく接着できるので、その作業は極めて簡単である。また、仮に、接着剤が窪み５２２から流出しても基準壁５２３によって、他の部分への流出は、完全に阻止できる、などといった効果を奏する。
【００２７】
また、レリーズボタン５は、前ケース２１と後ケース２２の接部分２３に装着しているので、前ケース２１と後ケース２２を結合する前に、レリーズボタン５を、例えば、前ケース２１側に組み込めばよく、組み込み作業がやり易い。
【００２８】
また、外ボタン５１と、内ボタン５２との接着に際し、窪み５２２に液状の接着剤を流し込み、その後、上述したように外ボタン５１を重ね合わせればよいので、接着作業が簡単となり、都合がよい。
【００２９】
なお、上述した実施形態は、本発明の好適な実施例であるが、本発明はこれに限定されるものではなく、本発明の要旨を逸脱しない範囲において、種々変形実施可能である。
【００３０】
例えば、レリーズボタン５の外ボタン５１は、上述の実施形態では、合成樹脂の表面に金属被覆が施したものを用いたが、これ自身を金属で形成しても良いのは、勿論である。
【００３１】
また、内ボタン５２の上面５２ｂに形成した基準壁５２３は、必ずしも窪み５２２を囲繞するようにリング状に形成する必要はなく、内ボタン５２を覆うように外ボタン５１を重ね合わせた際に、水平が保てるように、３点以上に分割しても良いのは、勿論である。
【図面の簡単な説明】
【００３２】
【図１】本発明の一実施形態に係るデジタルカメラの概略構成を示す斜視図である。
【図２】図１に示すデジタルカメラの前ケースを内側から示す概略斜視図である。
【図３】図１に示すデジタルカメラの要部の一部を断面して示す断面図である。
【図４】図１に示すデジタルカメラの要部の一部を断面して示す斜視図である。
【図５】図１に示すデジタルカメラの内ボタンの一例を示す正面図である。
【図６】図５に示す内ボタンの上面図である。
【図７】図１に示すデジタルカメラの回転操作ダイアルの一例を示す底面図である。
【符号の説明】
【００３３】
１      デジタルカメラ
２      本体ケース
２１    前ケース
２２    後ケース
２３    接合部
５      レリーズボタン
５１    外ボタン
５１ｃ  内面
５１１  操作部
５１２  突起
５２    内ボタン
５２ｂ  上面
５２１  操作軸
５２２  窪み
５２３  基準壁
５２４  抜け止め片
６      回転操作ダイアル
６１    標識
６２    回転操作部
６３    貫通孔
６４    胴部
６５    嵌合部
【図１】
2006047596.tif 000003
【図２】
2006047596.tif 000004
【図４】
2006047596.tif 000005
【図５】
2006047596.tif 000006
【図６】
2006047596.tif 000007
【図７】
2006047596.tif 000008
【図３】
2006047596.tif 000009